(57)【要約】      （修正有）【課題】リリース自在なフックを有するチャンバ付き釣り用ルアを提供する。【解決手段】リリース自在なフック２２を有するチャンバ付き釣り用ルアは、前部、後部、上部、底部、及びフック２２を有する本体を含む。当該本体の内部には再巻取り可能なリーダルアアセンブリを保持するように構成及び配置された再巻取り可能なリーダルアアセンブリ用チャンバ３６が設けられている。フック２２の一部及びリーダライン３４は非展開状態において内部チャンバに収容されている。魚が食付きフック２２に引っかかった際には、フック２２は内部空洞部からリリースされ、当該釣り用ルアの本体から好ましい距離だけ伸長し、リーダライン３４を外部へ露出させる。この状態を展開状態と定義する。当該再巻取り可能なリーダルアアセンブリは、ユーザがフック２２に取り付けられているリーダライン３４を装置の内部チャンバへ格納できるように構成及び配置される。【選択図】図４
2012147773.tif 000002
【特許請求の範囲】
【請求項１】
リリース自在なリーダ及びフックアセンブリを有するチャンバ付き釣り用ルアであって、
前記釣り用ルアは本体部を含み、前記本体部は魚にとって餌として現れるように構成及び配置された外部形状を有し、前記本体部は所定の長さのリーダラインを巻きつけて収容するような大きさ及び形状の内部チャンバを含み、前記リーダラインは前記本体部に取付けられた第１の端部とフック部のアイレット部に取付けられた第２の端部とを含み、前記本体部は前記内部チャンバから前記外部形状を経て広がる開口部を有し、前記開口部は前記リーダラインが前記開口部を自由に通過して伸長できるような大きさ及び形状であり、前記開口部は前記アイレット部及び隣接するシャンク部が前記開口部を少なくとも部分的に通過して滑動できるような大きさ及び形状であり、前記アイレット部及び前記シャンク部の一部は前記開口部内にリリース自在なように配置されることができ、前記アイレット部及び前記シャンク部の一部は魚が食付いた際にリリースされて前記リーダラインの第２の端部及び前記フック部を前記本体部から所定の距離だけ伸長することを許容することを特徴とするチャンバ付き釣り用ルア。
【請求項２】
請求項１に記載のリリース自在なリーダ及びフックアセンブリを有するチャンバ付き釣り用ルアであって、
前記開口部は前記開口部内に前記フック部が配置された際に前記フック部が回転しないような大きさ及び形状になされていることを特徴とするチャンバ付き釣り用ルア。
【請求項３】
請求項１に記載のリリース自在なリーダ及びフックアセンブリを有するチャンバ付き釣り用ルアであって、
前記開口部は、前記リーダラインの第２の端部及び前記フック部を前記本体部から所定の距離だけ伸ばすために所定の力を要する位置に配置された際に、前記フック部に摩擦係合するような大きさ及び形状になされていることを特徴とするチャンバ付き釣り用ルア。
【請求項４】
請求項１に記載のリリース自在なリーダ及びフックアセンブリを有するチャンバ付き釣り用ルアであって、
前記チャンバは前記チャンバ内において軸を中心に回転するように配置されたドラム部を含み、前記ドラム部は前記所定の長さのリーダラインを前記ドラムに巻きつけて格納するような大きさになされており、前記リーダラインの前記第１の端部は前記ドラムに取付けられることを特徴とするチャンバ付き釣り用ルア。
【請求項５】
請求項４に記載のリリース自在なリーダ及びフックアセンブリを有するチャンバ付き釣り用ルアであって、
前記ドラム部は前記ドラム部の両端に配置されたスピンドルを含み、前記スピンドルの各々は前記ドラム部の回転軸に従って配置されていることを特徴とするチャンバ付き釣り用ルア。
【請求項６】
請求項５に記載のリリース自在なリーダ及びフックアセンブリを有するチャンバ付き釣り用ルアであって、
前記ドラム部は前記ドラム部の両端にフランジ部を含み、前記フランジ部の直径は前記ドラム部の直径より大きいことを特徴とするチャンバ付き釣り用ルア。
【請求項７】
請求項５に記載のリリース自在なリーダ及びフックアセンブリを有するチャンバ付き釣り用ルアであって、
前記ドラム部は前記外部形状を介して拡張するのに十分な直径を有する第１のフランジ部と前記ドラム部より大きい直径の第２のフランジ部とを含み、前記第１のフランジ部は前記ルアの本体部の外部から前記ドラム部を回転させて前記リーダラインが前記ドラム部に巻きつけられることを許容するように構成及び配置されていることを特徴とするチャンバ付き釣り用ルア。
【請求項８】
請求項５に記載のリリース自在なリーダ及びフックアセンブリを有するチャンバ付き釣り用ルアであって、
前記ドラム部はキー溝を含み、前記キー溝はツールと協働して前記ルアの本体部の外部から前記ドラム部を回転させて前記リーダラインが前記ドラム部に巻きつけられるように構成及び配置されていることを特徴とするチャンバ付き釣り用ルア。
【請求項９】
請求項８に記載のリリース自在なリーダ及びフックアセンブリを有するチャンバ付き釣り用ルアであって、
前記キー溝は多角形状を有し、前記ツールは前記キー溝と協働するために部分的に多角形状を有していることを特徴とするチャンバ付き釣り用ルア。
【請求項１０】
請求項５に記載のリリース自在なリーダ及びフックアセンブリを有するチャンバ付き釣り用ルアであって、
前記ルアはドラッグアセンブリを含み、前記ドラッグアセンブリは前記フック部及び前記リーダラインの第２の端部の展開動作に対する所定の抵抗力を付与するように構成及び配置されていることを特徴とするチャンバ付き釣り用ルア。
【請求項１１】
請求項１０に記載のリリース自在なリーダ及びフックアセンブリを有するチャンバ付き釣り用ルアであって、
前記ドラッグアセンブリは前記ドラム部に摩擦係合していることを特徴とするチャンバ付き釣り用ルア。
【請求項１２】
請求項１１に記載のリリース自在なリーダ及びフックアセンブリを有するチャンバ付き釣り用ルアであって、
前記ドラッグアセンブリは少なくとも１つのプレッシャプレート部を含み、前記少なくとも１つのプレッシャプレート部は前記ドラム部に摩擦係合していることを特徴とするチャンバ付き釣り用ルア。
【請求項１３】
請求項１２に記載のリリース自在なリーダ及びフックアセンブリを有するチャンバ付き釣り用ルアであって、
前記ドラム部と前記少なくとも１つのプレッシャプレート部との摩擦係合部は手動調節可能であることを特徴とするチャンバ付き釣り用ルア。
【請求項１４】
請求項１１に記載のリリース自在なリーダ及びフックアセンブリを有するチャンバ付き釣り用ルアであって、
前記ドラッグアセンブリは少なくとも１つのクラッチディスク部と少なくとも１つのプレッシャプレート部を含み、前記少なくとも１つのクラッチディスク部の第１の側部は前記ドラム部に摩擦係合し、前記少なくとも１つのクラッチディスク部の第２の側部は前記少なくとも１つのプレッシャプレート部に摩擦係合していることを特徴とするチャンバ付き釣り用ルア。
【請求項１５】
請求項１に記載のリリース自在なリーダ及びフックアセンブリを有するチャンバ付き釣り用ルアであって、
前記チャンバはスプールアセンブリを含み、前記スプールアセンブリは第１の端部と第２の端部を有し、前記スプールアセンブリは第１の支持アームと第２の支持アームを有し、前記第１の支持アームの第１の端部は前記第２の支持アームの第１の端部に接続され、前記第１の支持アームの第２の端部は前記第２の支持アームの第２の端部に接続されていることを特徴とするチャンバ付き釣り用ルア。
【請求項１６】
請求項１５に記載のリリース自在なリーダ及びフックアセンブリを有するチャンバ付き釣り用ルアであって、
前記ルアは前記第１の支持アームの第２の端部と前記第２の支持アームの第２の端部との接続部から伸びるアーム部を含み、前記アーム部は開口部を含み、前記開口部は前記フック部が前記アーム部の内部空洞部に挿入された際に前記フック部が前記開口部にぴったり合って前記フック部の容易な又は制御されたリリースを可能にしつつ前記フック部が回転することを防ぐような大きさ又は形状であることを特徴とするチャンバ付き釣り用ルア。
【発明の詳細な説明】
【関連出願の相互参照】
【０００１】
本願は、米国特許出願第61/416,158号（2010年11月22日出願、発明の名称「チャンバ付きリーダルア」）の一部継続出願であり、当該出願の内容はその全体を参照することにより本明細書に組み込まれている。
【技術分野】
【０００２】
本発明は釣り具に関し、特に、伸長自在な釣り糸（以下リーダという）用のコンパクトな収容場所を提供する内部スプールを有するチャンバを備えた（すなわちチャンバ付き）釣り用ルアに関する。釣り針（以下フックという）は当該リーダの先端に設けられ、かつ当該フック及びリーダのリリースをコントロールできるようなリリース自在な態様によって当該ルアに設けられている。
【背景技術】
【０００３】
リリース自在なフックを有する釣り用ルアの広い概念は当該技術分野において周知である。例えば、米国特許第5,090,151号は、食付き（すなわちストライク）が起こるとフックと本体が分離する釣り用ルアを記載している。当該釣り用ルアは、ルア本体と、フックと、ワイヤ部と、を含む。当該本体は、当該本体内を貫通するスロットと、当該スロットに沿って設けられている肩部とを有している。前記フックは、通常は当該肩部をルア本体に収容する突出部を備えた細長い軸部分を含んでおり、これによって当該フックは当該ルア本体との係合状態を保持している。前記ワイヤ部は、当該ルア本体を貫通して伸び、一端はフック用の小穴部に取付けられ、他端は釣り用リールに取付けられる。当該フックは、当該ルア本体の外方に伸びる曲げ成形された湾曲部分と共に前記スロット内に収容される。前記ルア本体の肩部は当該フックの軸部分及び突出部と共にリリース自在なように収容されており、食付きの際には、当該本体とフックが分離して当該ルア本体は前記ワイヤ部を滑り上がる。
【０００４】
米国特許第5,806,233号は、魚の食付きの際にルアの本体とフックとの間の相対的な空動き（すなわちロストモーション）を発生させる釣り用ルアを記載している。当該釣り用ルアは、ルア本体と、リムと、弾性バンドと、釣り糸（以下ラインという）と、フックと、からなる。当該ルア本体は、前端部と後端部を有する。一端に形成された穴部を有するリム部は、当該ルア本体の後端部に接続されている。当該リム部の穴部は、当該ルア本体の後端部から外方に伸びている。前記フックは、当該フックに形成された小穴を備えた軸部分を含む。当該フックは、一端には当該フックの小穴が締結され、他端には前記リムの穴部が締結されている所定の長さのラインを使用して、当該リム部に取付けられている。閉じ込め用弾性バンドは、当該フック、当該リム、及び当該ラインを並列に取り囲み、かつ前記ルア本体の後部から離れる方向の後方へリリース自在なように保持する。当該フックに魚が食付いた際は、当該フックと当該ラインは当該バンドから離脱し、当該フックは魚の進行方向の逆方向に進む。
【０００５】
米国特許第6,105,303号は、ラインに十分な張力が働くまでフックが露出しない釣り用ルアを開示している。当該ルアは、ルア本体、ライン、及びフックを含む。当該本体は、当該本体を貫通する開口部と少なくとも１つの小穴（以下チャネルという）を有している。前記ラインは開口部を通って伸び、当該フックの軸部分に固定されている。当該フックはチャネルに収容され、開口部において当該ラインの進む方向を変えるので、当該チャネル内のラインは開口部において反対方向に進む。このような構成により、当該ラインに十分な張力が働いた際に当該フックは当該本体から離脱する。
【発明の概要】
【０００６】
本発明は釣り具に関し、特に、伸長自在なリーダ用のコンパクトな収容場所を提供する内部スプールを有するすなわちチャンバ付き釣り用ルアに関する。当該釣り用ルアは、前部、後部、上側部、底側部、及び内部チャンバを有する本体部を含む。当該本体部の内部チャンバ内には、延長されたリーダアセンブリのためのストレージを提供するように構成及び配置されているスプールが設けられている。フックは当該リーダアセンブリの先端部に取付けられ、非展開状態にて当該ルアの後端部にリリース自在なように収容されている。魚が食付きフックに引っかかった際には、当該フックは当該ルアから離脱し、管理された態様にて当該釣り用ルアの本体部から当該リーダの先端部及び当該フックを所定の距離だけ延伸させる。スプールアセンブリは、ユーザが当該フックに取り付けられている当該釣り糸（以下リーダラインという）を装置の内部チャンバへ格納でき、次の食付きのために当該フックが当該ルア本体に再配置されるように構成及び配置される。当該スプールアセンブリは一般的な小型のスプールであり、内部空洞部内に設けられ、当該スプールアセンブリの先端部にはベアリングが取付けられている。当該スプールの一部は当該ルアの外方へ伸びていてもよく、これにより、手作業又は道具によってリールを回転させることができるようになる。代替として、キー、ツール、又は同様のものが、開口部を用いて挿入され又はスプールのキー溝に係合されてもよく、これにより、前記リーダラインをルアに再び巻き入れることができるようになる。他の実施例において、前記リールは内部のコイルばねと共に設けられてもよく、これにより、当該リーダがスプールから外方に引き出された後に当該リーダを自動的に当該スプールへ巻き取ることができるようになる。当該スプールと当該ルアとの間に障害部材（以下ドラッグという）又はクラッチが含まれてもよく、当該ドラッグ又はクラッチは、当該リーダを当該スプールから外方へ引き出す所定の抵抗力を付与してもよい。当該ドラッグ機能は調節可能であってもよく、オペレータは当該リーダを当該スプールからリリースする方法又は手段の特性を変更することができてもよい。
【０００７】
従って、本発明の目的は、リリース自在なフックを有するチャンバ付き釣り用ルアを提供することである。
【０００８】
本発明の他の目的は、当該フックの一部が内部チャンバに収容され、かつリリース自在なフックを有するチャンバ付き釣り用ルアを提供することである。
【０００９】
本発明の他の目的は、より自然な外観であり、かつリリース自在なフックを有するチャンバ付き釣り用ルアを提供することである。
【００１０】
本発明の他の目的は、低い視認性を維持し、かつリリース自在なフックを有するチャンバ付き釣り用ルアを提供することである。
【００１１】
本発明の他の目的は、軽量のリーダ及び／又は釣り糸（以下メインラインという）とのよりよいルアの動作を行い、かつリリース自在なフックを有するチャンバ付き釣り用ルアを提供することである。
【００１２】
本発明の他の目的は、非展開状態と展開状態とを有し、かつリリース自在なフックを有するチャンバ付き釣り用ルアを提供することである。
【００１３】
本発明の他の目的は、一旦リーダがリリース及び展開されると魚が容易に引っ掛かってしまうチャンバ付き釣り用ルアを提供することである。
本発明の他の目的は、魚がルアを口から振り落とせないようなリリース自在なフックを有するチャンバ付き釣り用ルアを提供することである。
【００１４】
本発明の他の目的は、リーダラインが内部チャンバ内に巻きつけられ再巻取り可能なリーダアセンブリに取り付けられており、かつリリース自在なフックを有するチャンバ付き釣り用ルアを提供することである。
【００１５】
本発明の他の目的は、最低限の道具を用いて容易に非展開状態へ再巻取り可能であり、かつリリース自在なフックを有するチャンバ付き釣り用ルアを提供することである。
【００１６】
本発明の他の目的は、リーダラインを格納するための内部リールアセンブリを備えた釣り用ルアを提供することである。
【００１７】
本発明の他の目的は、リーダラインをスプールに巻き取るための外部操作可能な機構を含んだ内部リールアセンブリを備えた釣り用ルアを提供することである。
【００１８】
本発明の他の目的は、リーダラインをスプールに巻き取るための内部操作可能な機構を含んだ内部リールアセンブリを備えた釣り用ルアを提供することである。
【００１９】
本発明の他の目的は、スプールからリーダラインを引き出す所定の抵抗力を付与するクラッチアセンブリを含んだ内部リールアセンブリを備えた釣り用ルアを提供することである。
【００２０】
本発明の他の目的は、スプールからリーダラインを引き出す所定の抵抗力を付与するコイルばねアセンブリを含んだ内部リールアセンブリを備えた釣り用ルアを提供することである。
【００２１】
本発明の他の目的は、リーダラインを格納するためのコイルばねアセンブリを含んだ内部リールアセンブリを備えた釣り用ルアを提供することである。
【００２２】
本発明の上記以外の目的及び効果は、以下の記載並びに説明及び例示のための本発明の特定の実施形態を示す添付図面から明らかとなる。本明細書に示されている図は本明細書の一部を構成し、本発明の例示的な実施例を含み、本発明の様々な目的及び特徴を示している。
【図面の簡単な説明】
【００２３】
【図１】図１は非展開状態におけるリリース自在なフックを有する本発明の釣り用ルアの１の実施例の側面図である。
【図２】図２は展開状態におけるリリース自在なフックを有する本発明の釣り用ルアの１の実施例の側面図である。
【図３】図３は本発明の釣り用ルアの再巻取り可能なリーダアセンブリ用チャンバの断面図である。
【図４】図４は再巻取り可能なリーダアセンブリ用チャンバ内に設けられるように示されたリリース自在なフックを有する釣り用ルアの再巻取り可能なリーダアセンブリの１の実施例の断面図である。
【図５】図５は釣り用ルアの再巻取り可能なリーダアセンブリの斜視図である。
【図６Ａ】図６Ａは本発明の再巻取り可能なリーダアセンブリの断面図である。
【図６Ｂ】図６Ｂは回転操作するための工具を含む本発明の再巻取り可能なリーダアセンブリの断面図である。
【図７】図７は図２に示されたリリース自在なフックを有する釣り用ルアの上面図である。
【図８】図８はメインフィッシングラインに取付けられたリリース自在なフックを有する釣り用ルアの側面図である。
【図９】図９は非展開状態におけるリリース自在なフックを有する本発明の釣り用ルアの代替的実施例の側面図である。
【図１０】図１０は展開状態におけるリリース自在なフックを有する本発明の釣り用ルアの代替的実施例の側面図である。
【図１１】図１１は図１０に示された本発明の釣り用ルアの断面図である。
【図１２】図１２は再巻取り可能なリーダルアアセンブリを備えた図９に示されたリリース自在なフックを有する釣り用ルアを示す図である。
【図１３Ａ】図１３Ａは図１０に示されたリリース自在なフックを有する釣り用ルアの上面図である。
【図１３Ｂ】図１３Ｂは図１０に示されたリリース自在なフックを有する釣り用ルアの後面図である。
【図１４】図１４はリリース自在なフックを有する本発明の釣り用ルアの底部に設けられた再巻取り可能なリーダルアアセンブリを示す図である。
【図１５】図１５は潜水スタイルのルアの形態におけるリリース自在なフックを有する本発明の釣り用ルアを示す図である。
【図１６】図１６はトローリングルアの形態をとったリリース自在なフックを有する本発明の釣り用ルアを示す図である。
【図１７】図１７はスカートを備えたトローリングルアの形態をとったリリース自在なフックを有する本発明の釣り用ルアを示す図である。
【図１８】図１８は再巻取り可能なリーダアセンブリを含まず非展開状態において示されたリリース自在なフックを有する本発明の釣り用ルアの代替的実施例を示す図である。
【図１９】図１９は再巻取り可能なリーダアセンブリを含まず展開状態において示されたリリース自在なフックを有する本発明の釣り用ルアの代替的実施例を示す図である。
【図２０Ａ】図２０Ａは再巻取り可能なリーダアセンブリを含まず非展開状態において示されたジグの形態をとったリリース自在なフックを有する本発明の釣り用ルアの代替的実施例を示す図である。
【図２０Ｂ】図２０Ｂは再巻取り可能なリーダアセンブリを含まず展開状態において示されたジグの形態をとったリリース自在なフックを有する本発明の釣り用ルアの代替的実施例を示す図である。
【図２１Ａ】図２１Ａはシュリンプテイルのアタッチメントを備えたリリース自在なフックを有する釣り用ルアの代替的実施例の断面図である。
【図２１Ｂ】図２１Ｂは非展開状態において示された図２１Ａのリリース自在なフックを有する釣り用ルアの代替的実施例の側面図である。
【図２１Ｃ】図２１Ｃは展開状態において示された図２１Ａのリリース自在なフックを有する釣り用ルアの代替的実施例の側面図である。
【図２２Ａ】図２２Ａは再巻取り可能なリーダアセンブリを含まず非展開状態において示された髪の毛状のアタッチメントを含むジグの形態をとったリリース自在なフックを有する本発明の釣り用ルアの代替的実施例を示す図である。
【図２２Ｂ】図２２Ｂは再巻取り可能なリーダアセンブリを含まず展開状態において示された髪の毛状のアタッチメントを備えたジグの形態をとったリリース自在なフックを有する本発明の釣り用ルアの代替的実施例を示す図である。
【図２３】図２３は本発明による再巻取り可能なリーダアセンブリの代替的実施例の上部斜視図である。
【図２４】図２４は図２３に示された再巻取り可能なリーダアセンブリの代替的実施例の底部斜視図である。
【図２５】図２５は図２３に示された再巻取り可能なリーダアセンブリの代替的実施例の側面図である。
【図２６】図２６は図２３に示された再巻取り可能なリーダアセンブリの代替的実施例の上面図である。
【図２７】図２７は図２３に示された再巻取り可能なリーダアセンブリの支持部の斜視図である。
【図２８Ａ】図２８Ａは図２３に示された再巻取り可能なリーダアセンブリのスプールアセンブリの斜視図である。
【図２８Ｂ】図２８Ｂは回転部を含まない図２３に示された再巻取り可能なリーダアセンブリのスプールアセンブリの斜視図である。
【図２８Ｃ】図２８Ｃは図２３に示された再巻取り可能なリーダアセンブリのスプールアセンブリの回転部の斜視図である。
【図２９】図２９は図１のチャンバ付き釣り用ルアの再巻取り可能なリーダアセンブリ用チャンバ内に位置する図２３に示された再巻取り可能なリーダアセンブリのスプールアセンブリの断面図である。
【図３０】図３０は本発明の代替的実施例の部分断面図を含む側面図である。
【図３１】図３１は本発明の代替的実施例の部分断面図を含む側面図である。
【発明を実施するための形態】
【００２４】
本発明は様々な態様で実施することができるが、以下においては出願時点での好ましい（これに限定しないが）実施例が図示され、記載されている。この実施例は、本発明の例示的なものと考慮されるべきであり、かつ示された実施例に本発明を限定するものではない。
【００２５】
図１−図３１を参照すると、同様の参照番号が複数の図に亘って同様の要素を示しており、本発明のリリース自在なリーダ３４及びフック２２を有するチャンバ付き釣り用ルア１０が示されている。図１を参照すると、スイムベイトスタイルのルアとして示されている本発明のリリース自在なフック２２を有するチャンバ付き釣り用ルア１０の１の実施例の側面図が示されている。チャンバ付き釣り用ルア１０は、前部１４、後部１６、上部１８、底部２０を有する本体１２を含む。本体１２は釣り用ルアの製造に一般に使用される材料から作られてもよいが、好ましくはプラスチックのようなポリマ材から作られる。本体１２は、模様、色彩、又は形状を含んでいてもよく、当該形状は小魚、ネズミ、ザリガニ、蛙、若しくは魚が捕食する他の動物及び物体に似せたものであり得る。チャンバ付き釣り用ルア１０に取付けられているのはリリース自在なフック２２である。図示されているように、当該フックは、リーダラインが全く露出していないかほとんど露出していない「非展開」位置に配置されている。これは釣り人が前記ルアを着水させる際の典型的な開始位置である。
【００２６】
図２を参照すると、リリース自在なフック２２を有するチャンバ付き釣り用ルア１０の側面図が展開位置において示されている。当該展開位置において、リーダ３４は伸ばされ、フック２２は本体１２から所定の距離だけ離れて位置している。当該展開位置は、魚がルアに食付いてルアに接触する魚の食付きによって生じる。この状態において、魚は食べたくないものに食付いたことに気付き当該ルアを口から出すがフックは口に留まる。当該フックは好ましくは標準的な釣り針であり、この標準的なフックは小穴部分（以下アイレットという）２４、軸部分（以下シャンクという）２６、湾曲部分２８、及びかえし３２付き又はかえし３２無しの針先部分３０を有している。フック２２は保護皮膜で被覆されてもよく、これにより、錆び、腐食、又は他の風化作用などの悪影響を及ぼす環境から保護することによって当該フックの耐用年数を延長できる。フックをチャンバ付き釣り用ルア１０の本体１２に結合するのはリーダライン３４であるが、当該リーダラインはフロロカーボン製リーダラインやモノフィラメント製リーダラインに限定されず、編み組まれた金属若しくはポリマ材又はこれらの適切な組合せによるリーダラインであってもよい。
【００２７】
図３及び図４を参照すると、前記チャンバ付き釣り用ルアの内部要素を示す断面図が示されている。本体１２の内部に設けられているのが再巻取り可能なリーダアセンブリ用チャンバ３６である。再巻取り可能なリーダアセンブリ用チャンバ３６は、中間部４２によって接続された第１の端部３８及び第２の端部４０を含み得る。第２のチャンバ４４は、潜水翼部（以下ブレードという）又はスプーン（図示せず）などの重量物（すなわち重り）４６を保持するように構成及び配置されている。代替として、重量物４６は、水中を移動する際に前記ルアへ様々な振る舞い又は動作を与えるように前記本体内の適切な位置に成形されてもよい。再巻取り可能なリーダルアアセンブリ用チャンバ３６内に設けられているのが再巻取り可能なリーダアセンブリであり、本明細書にはスプールアセンブリ４８として示されている。典型的な場合、当該スプールアセンブリは、所定の長さのリーダラインをコイル状又は制御可能なリリースを行える構造で収容するように構成及び配置される。当該スプールアセンブリは、当該リーダラインが繰り返し展開動作するために前記ルアの空洞部内に再巻取り又は再配置されることを可能にする。
【００２８】
図５を参照すると、スプールアセンブリ４８の1例の斜視図が示されている。スプールアセンブリ４８は第１の端部５０と第２の端部５２を有している。スプールアセンブリ４８は２つの支持アーム５４と５６を含む。支持アーム５４の第１の端部５８は、支持アーム５６の第１の端部６０に接続されている。支持アーム５４の第２の端部６２は、支持アーム５６の第２の端部６４に接続されている。支持アーム５４の第１の端部５８と支持アーム５６の第１の端部６０との接続部から伸びているのがアーム６６である。アーム６６の端部にはアイレット６８が設けられている。支持アーム５４の第２の端部６２と支持アーム５６の第２の端部６４との接続部から伸びているのがアーム７０である。アーム７０の端部には開口部７２が設けられている。開口部７２は、アーム７０の空洞部内に挿入された際にフックがぴったり合うような大きさ及び形状であり、これにより、容易な又は制御されたリリースを可能にしつつフックが回転することを防いでいる。支持アーム５４は上面７３と底面７４を含む。支持アーム５６は上面７６と底面７８を含む。
【００２９】
支持アーム５４に係合されているのは、典型的な場合第１の円形部材８０、第２の円形部材８２、及び円筒部材（以下ドラムという）８４を含むスプール８１である。第１の円形部材８０及び第２の円形部材８２に取付けられているのは軸部（以下ピボットという）アセンブリであり、本明細書の図４にそれぞれスピンドル８６及び８８として示されている。スピンドル８６及び８８は、ドラム８４が長手軸８９を中心に回転するように、支持アーム５４及び５６に取付けられている（図６Ａ参照）。前記ピボットアセンブリは付属品として示されており、当該ピボットアセンブリは、軸を中心に回転運動するような他の要素・部材を含んでいてもよい。例えば、当該ピボットアセンブリは、前記第１及び第２円形部材の開口部内にベアリング又はブッシングと共に固定された心棒のような縦材（すなわち棒材）であってもよい。代替として、当該第１及び第２円形部材は、当該縦材が支持される接続部に用いられるベアリング又はブッシングと共に当該縦材に固定されてもよい。前記ピボットアセンブリは、ギア、ラチェット及びパウルシステム、又は同様のものを使用するような、回転運動を発生させるさらなる機械的手段を含んでいてもよい。
【００３０】
図５、図６Ａ、及び図６Ｂを参照すると、スピンドル８６の上面９０及び／又はスピンドル８８の上面９２は、展開後前記リーダルアを再配置できるように構成及び配置されている。例えば、スピンドル８６の上面９０はくぼんだ空洞部９３を露出する開口部９１を含み得る。当該くぼんだ空洞部はツール９４を受け入れるように構成及び配置されている。ツール９４の端部９６はくぼんだ空洞部９３と共役的な形状であるか、又はツール９４の端部９６は、当該ツールの挿入部がくぼんだ空洞部９３にしっかり固定されるように、くぼんだ空洞部９３の補完的かつ幾何学的形状すなわちフィリップススクリューヘッドによる十字形状若しくは多角形形状若しくは他の適切な形状を有する。ドラム８４を回転させるために、ユーザは当該ツールを挿入して、単にツール９４のハンドル９８を時計回りに回転させるだけで当該ドラムを時計回りに回転させ、又は当該ハンドルを反時計回りに回転させて当該ドラムを反時計回りに回転させる。代替として、上面９０は単にスロット領域１００（図７参照）を含んでいてもよく、当該スロット領域は一般のマイナスドライバ又は米国硬貨の形状に一致する。
【００３１】
図４を参照すると、ドラム８４に巻かれているのはリーダライン３４である。リーダライン３４の第１の端部３３は、結び具（すなわちノット）、差し込み具（すなわちスロット）、引っ掛け具（すなわちフック）、締め具（すなわちファスナ）、ステープル又はこれらの適切な組合せを含む当業者には周知の様々な手段を用いて、ドラム８４に取付けられている。図４及び図５に示されているように、リーダライン３４の第２の端部３５すなわちドラム８４に取付けられていない端部は、開口部１０２を通り、例えばインプルーブドクリンチノット、パロマノット、スネルノット、圧着スリーブなどを用いて、フック２２のアイレット２４に取付けられている。非展開位置において、アイレット２４及びフック２２のシャンク２６はアーム７０の内部空洞部１０４に収容されている。湾曲部分２８及びフック２２のかえし３２付き針先部分３０は、開口部７２を介して外部に露出している。
【００３２】
チャンバ付き釣り用ルア１０が着水するに先立って、釣り竿、ダウンリガ、アウトリガなど（図示せず）に接続するライン又はワイヤ１０６（図8参照）は、例えばユニノット、ラパラノット、又はトライレーンノットなどの当業者に公知な適切な手段を用いて、小穴６８に取付けられている。一旦着水して魚が食付くと、チャンバ付き釣り用ルア１０のフック２２が展開される。当該展開動作により、リーダライン３４はドラム８４から引き出され、当該リーダライン及びチャンバ付き釣り用ルア１０内に収容されていた当該フックの部分が外部へ露出する。当該引き出し動作は、魚がチャンバ付き釣り用ルア１０に食付くか、又は当該フックが他の物体に引っ掛かることにより生じる。どちらの場合によっても、チャンバ付き釣り用ルア１０を再利用するためにリーダライン３４は非展開位置に戻されなければならない。リーダライン３４をドラム８４に巻き戻すために、ユーザはツール９４（図６Ｂ参照）をスピンドル８６に設けられたくぼんだ空洞部９３に挿入し、時計回りに回転させることができる。ユーザは、全部又は一部のリーダライン３４をドラム８４から引き出す必要がある場合は、ツール９４を使用して反時計回りにドラム８４を回転させることもできる。
【００３３】
図９−図１０はチャンバ付き釣り用ルア１０の代替的実施例を示している。図９はトレブルスタイルのフック２２２を有するチャンバ付き釣り用ルア１０の実施例の側面図であり、プラグスタイルの釣り用ルア２１０として示されている。当該プラグスタイルの釣り用ルアは、前部２１４、後部２１６、上部２１８、及び底部２２０を有する本体２１２を含む。本体２１２は、バルサ、ハードウッド、又は松（すなわちパイン）のような釣り用プラグ用に従来から使用されている木材から手彫されてもよい。しかし、好ましい実施例において、本体２１２は中空プラスチック、成型プラスチック、又は硬質プラスチックから作られる。本体２１２は、模様、色彩、又は形状を含み、当該形状は小魚、ネズミ、ザリガニ、蛙、若しくは魚が捕食する他の動物に似せたものであり得る。プラグスタイルの釣り用ルア２１０に取付けられているのはトレブルスタイルのフック２２２であってもよい。図９に示されているように、当該フックは、リーダライン２３４がほとんど露出していないか又は全く露出していない「非展開」位置において配置されている。図１０は展開位置におけるトレブルフック２２２を備えたプラグスタイルの釣り用ルア２１０を示している。当該展開位置において、フック２２２は本体２１２から所定の距離だけ離れて配置されている。当該位置は、典型的な場合、魚が食付いて前記ルアに接触し、当該フックに引っ掛かることによって生じる。図示されているように、当該フックは、アイレット２２４、シャンク２２６、複数の湾曲部分２２８、及びかえし２３２付き又はかえし無しの複数の針先部分２３０を有する標準的なトレブルフックである。しかし、チャンバ付き釣り用ルア２１０に接続されている当該トレブルフックは、当業者に公知である他のフックであってもよい。フック２２２は保護皮膜で被覆されてもよく、これにより、錆び、腐食、又は他の風化作用などの悪影響を及ぼす環境から保護することによって当該フックの耐用年数を延長できる。チャンバ付き釣り用ルア２１０の本体２１２にフック２２２を結合させるのはリーダライン２３４である。
【００３４】
図１１及び図１２を参照すると、プラグスタイルのチャンバ付き釣り用ルア２１０の内部要素を示す長手方向の断面図が示されている。本体２１２の内部に設けられているのは、本明細書には前記したスプールアセンブリとして示されている再巻取り可能なリーダアセンブリを保持するように構成及び配置された再巻取り可能なリーダアセンブリ用チャンバ２３６である。再巻取り可能なリーダアセンブリ用チャンバ２３６は、中間部２４２に接続された第１の端部２３８及び第２の端部２４０を含み得る。第２のチャンバ２４４は、水中を前記ルアが動き回るように当該ルアに飛び込み（すなわち着水）、遊泳、浮遊、又は潜水動作をさせるブレード又はスプーンなどの重量物２４６を保持するように設けられてもよい。図１２に示されているように、チャンバ付き釣り用ルア２１０はスプールアセンブリ２４８として示されている再巻取り可能なリーダアセンブリを含んでいてもよく、当該リーダアセンブリは本体２１２内に収容され、再巻取り可能なリーダルアアセンブリ用チャンバ２３６内に設けられている。スプールアセンブリ２４８は第１の端部２５０及び第２の端部２４２を有する。スプールアセンブリ２４８は２つの支持アーム２５４及び２５６を含む。支持アーム２５４の第１の端部２５８は、支持アーム２５６の第１の端部２６０に接続されている。支持アーム２５４の第２の端部２６２は、支持アーム２５６の第２の端部２６４に接続されている。支持アーム２５４の第１の端部２５８と支持アーム２５６の第１の端部２６０との接続部から伸びているのがアーム２６６である。アーム２６６の端部にはアイレット２６８が設けられており、当該アイレットは本体２１２の内部から外部へ伸びており釣り竿などへのライン又はワイヤ部２０６に取付けられてもよい。支持アーム２５４の第２の端部２６２と支持アーム２５６の第２の端部２６４との接続部から伸びているのがアーム２７０である。アーム２７０は内部空洞部２７２を含み、当該内部空洞部はリーダラインが開口部２７７及び２７９を通過できるように構成及び配置されている。支持アーム２５４は上面２７３と底面２７４を含む。支持アーム２５６は上面２７６と底面２７８を含む。
【００３５】
支持アーム２５４に係合されているのは、第１の円形部材２８０である。支持アーム２５６に係合されているのは、第２の円形部材２８２である。第１の円形部材２８０を第２の円形部材２８２に接続しているのはドラム２８４である。第１の円形部材２８０及び第２の円形部材２８２に取付けられているのはピボットアセンブリであり、本明細書にはそれぞれスピンドル２８６及び２８８として示されている。スピンドル２８６及び２８８は、ドラム２８４が長手軸を中心に回転するように、支持アーム５４及び５６に取付けられている（図示せず）。前記ピボットアセンブリは付属品として示されており、当該ピボットアセンブリは、軸を中心に回転運動するような他の要素・部材を含んでいてもよい。例えば、当該ピボットアセンブリは、前記第１及び第２円形部材の開口部内にベアリング又はブッシングと共に固定された心棒のような縦材であってもよい。代替として、当該第１及び第２円形部材は、当該縦材が支持される接続部に用いられるベアリング又はブッシングと共に当該縦材に固定されてもよい。前記ピボットアセンブリは、ギア、ラチェット及びパウルシステム、又は同様のものを使用するような、回転運動を発生させるさらなる機械的手段を含んでいてもよい。
【００３６】
スピンドル２８６の上面２９０及び／又はスピンドル２８８の上面２９２は、展開後前記リーダルアを再配置できるように構成及び配置されている。例えば、スピンドル２８６の上面２９０は前記したくぼんだ空洞部を露出する開口部を含み得る。当該くぼんだ空洞部は図６Ａ及び図６Ｂに示されているように、ツール９４を受け入れるように構成及び配置されている。
【００３７】
図１３Ａを参照すると、本体２１２の表面を経て伸びるスピンドル２８６の上面２９０を示すチャンバ付き釣り用ルア２１０の１の実施例の上面図が示されている。スピンドル２８６の上面２９０は、リーダライン２３４をドラム２８４に巻き戻すのに使用され得るスロット２９１を含む。上面２９０は一般のマイナスドライバ又は米国硬貨の形状に一致するように構成及び配置されたスロットを有するように示されているが、フィリップススクリューヘッドによる十字形状又は多角形形状又は他の適切な形状のような他の形状が使用されてもよい。この構成において、リーダライン２３４はドラム２８４にしっかりと巻き付けられ、前記非展開位置となる。図１２に戻って参照すると、リーダライン２３４の第１の端部２３３は、結び具、差し込み具、引っ掛け具、締め具、ステープル又はこれらの適切な組合せを含む当業者には周知の様々な手段を用いて、ドラム２８４に取付けられている。リーダライン２３４の第２の端部２３５は開口部２７７を通ってアーム２７０の内部空洞部２７２へ入り、開口部２７９を通って内部空洞部２７２へ出る。リーダライン２３４の当該第２の端部は圧着リング２９３に終結されている。圧着リング２９３に接続されているアイレット２９５はフック２２２のアイレット２２４に取付けられている。非展開位置において、フック２２２のアイレット２２４と軸部分２２６はリーダアセンブリアセンブリ用チャンバ２３６の内部に設けられていてもよい。しかし、好ましい実施例において、フック２２２のアイレット２２４、フック２２２の軸部分２２６、湾曲部分２２８、及びフック２２２のかえし２３２付き又はかえし２３２無し針先部分２３０は外部に露出しており、かつチャンバ２３６内に収容されている部分と開口部２９４（図１３Ｂも参照）を介して外部に露出されている部分とを含むプラグ２９３の小穴部２９５に接続されている。圧着リング２９３は開口部２９４及び／又はチャンバ２３６の内部にぴったり合うように構成及び配置されている。リーダライン２３４をドラム２８４に巻き戻すために、ユーザは、前記したように単にツール９４を挿入して当該ツールを時計回り又は反時計回りに回転させるだけでよい。一旦リーダライン２３４がドラム２８４に巻かれると、まだ取付けられてない場合ユーザは釣り竿に接続される釣り用ワイヤをアイレット２６８に取り付け、チャンバ付き釣り用ルア２１０を水中へ戻す。
【００３８】
図１４−図１５はチャンバ付き釣り用ルア２１０の代替的実施例を示している。図１４を参照すると、スプールアセンブリ２４８は底部２２０が再巻取り機構を含むように配置されている。この構成において、ピボット２８８の上面２９２は前記したようなスロット又はくぼんだ空洞部（図１２参照）を含み、当該スロットまたは空洞部はリーダラインをドラム２８４に巻き戻すのに使用され得る。図１４に示された実施例は第２のチャンバ２４４又は重量物２４６を含まない。第２のチャンバ２４４又は重量物２４６を排除することによって、チャンバ付き釣り用ルア２１０は水面上又は浅い水面において動作するトップウォータスタイルのルアとして動作する。さらに、スプールアセンブリ２４８のスポーツアーム２５４及び支持アーム２５６は典型的な場合平行に設けられ互いに直接接続されない。当該アームの端部の各々は装置の本体部分に接続されている。図１５はチャンバ付き釣り用ルア２１０を潜水スタイルのルアとして示している。上記の特徴に加え、チャンバ付き釣り用ルア２１０は１つ以上の潜水リップ部２９６を含むように構成及び配置され得る。潜水リップ部２９６は、釣り人の要求に応じて前記ルアへ様々な深さへの潜水又は遊泳動作をさせることができるように構成又は配置されている。スプールアセンブリ２４８は、前記したようなアーム２５４と２５６とを直接接続する部分及び典型的な場合互いに平行なアームの部分を含む構成及び配置と同様に構成され得る。
【００３９】
図１６はトローリングルアの形状におけるチャンバ付き釣り用ルア２１０の代替的実施例を示している。チャンバ付き釣り用ルア２１０は前記した実施例の全ての特徴又は当該特徴の組合せを含む。本体２１２は丸みを帯びた部分２１２ａと典型的な場合長方形の部分２１２ｂを含む。長方形の部分２１２ｂに取付けられているのはシリコン製スカート２９８である（図１７参照）。この実施例において、本体部分は高い密度を有する金属から形成され得る。当該金属は、通常使用において当該金属が腐食及び劣化しないような１つ以上の公知の材料に被覆されていてもよい。
【００４０】
図１８−図２２Ｂはスプールアセンブリを有しないチャンバ付き釣り用ルア３１０の代替的実施例を示している。図１８を参照すると、チャンバ付き釣り用ルア３１０は前部３１４、後部３１６、上部３１８、及び底部３２０を有する本体３１２を含む。チャンバ付き釣り用ルア３１０に取付けられているのはフック３２２である。フック３２２の釣り針用アイレット３２４及びシャンク３２６は、本体３１２の後部３１６に設けられるか又は面している空洞部３２８に収容されている。湾曲部３３０及びかえし３３４付き針先部分３３２は空洞部３２８の開口部３３６を介して外部に露出している。本体３１２の内部は１つ以上のチャンバ３４０及び３４２を含む。チャンバ３４０の一端にはリーダライン３４６を取付けるためのリーダルア用アイレット３４４が設けられている。チャンバ３４０の他端には開口部３４７が設けられている。開口部３４７は内部チャンバ３４０を経てリーダライン３４６を通過させ、当該リーダラインの一部を外部へ露出させる。当該リーダラインの反対の端部はフック３２２のフックアイレット３２４に接続されており、当該アイレットは本体３１２の後部３１６に設けられるか又は面している空洞部３２８に収容されている。図１９は展開位置におけるチャンバ付き釣り用ルア３１０を示しており、当該展開位置においてフック３２２は空洞部３２８からリリースされて本体３１２から所定の距離だけ離れて位置している。本体３１２の外部表面に設けられているのはメインライン３５０を取り付けるための外部アイレット３４８である。釣り糸メインライン３５０は釣り用リール（図示せず）に接続されている。チャンバ３４２には重量物３５２が収容されていてもよい。
【００４１】
チャンバ付き釣り用ルア３１０は、水中の環境、魚の種類、又は他の釣りの要件に応じて様々な形状及び大きさに構成され得る。例えば、図２０Ａ（すなわち非展開状態）及び図２０Ｂ（すなわち展開状態）はジグの形態をとったチャンバ付き釣り用ルア３１０を示している。本体３１２は典型的な場合丸みを帯びたジグヘッド部分３１２ａ及び１つ以上のとげ部分３５４を備えた典型的な場合長方形のえり（以下カラーという）部分３１２ｂを含む。さらに、リーダライン３４６の一部がジグヘッド３１２ａに成形される。図２１Ａ−図２１Ｃは、ソフトプラスチック製のシュリンプテイルのアタッチメント３５６を有するチャンバ付き釣り用ルア３１０の代替的実施例を示している。図２２Ａ（すなわち非展開状態）及び図２２Ｂ（すなわち展開状態）は、前記ジグヘッドが前記カラーに結ばれた又は取付けられたヘア３５８を含む釣り用ルア３１０を示している。
【００４２】
図２３−図２９を参照すると、本発明による釣り用ルア３１０の再巻取り可能なリーダアセンブリ４００の代替的実施例が示されている。前記した実施例４８と同様に、再巻取り可能なリーダアセンブリ４００はリリース自在なフックを備えるために当該釣り用ルアの本体内に配置可能である。再巻取り可能なリーダアセンブリ４００は第１の端部４０２と第２の端部４０４を有し、支持アーム４０６及び４０８を含む。支持アーム４０６及び４０８は典型的な場合平行に設けられる。支持アーム４０６及び４０８に結合、接続、又は一体的に成形されているのは側壁部４１０及び４１２である。側壁部４１０及び４１２は典型的な場合平行に設けられ、当該支持アームに垂直に接続されて囲まれたエリア４１４（図２７参照）を形成する。囲まれたエリア４１４は回転部４１６を含むような大きさ及び形状である。図２８Ａを参照すると、回転部４１６（本明細書にはスプール状のアセンブリとして示されている）は第１の円形部材４１８及び第２の円形部材４２０を含む。第１の円形部材４１８と第２の円形部材４２０とは円筒形のドラム本体４２２によって分かれている。円筒形のドラム本体４２２は開口内部（すなわちオープンルーメン）４２４（図２８Ｂ参照）を含み、開口内部４２４は当該ドラム本体を貫通しており、回転部４２６（図２８Ｃ参照）を受け入れるように構成及び配置される。回転部４２６は円筒形の本体４２２の開口内部４２４に合うような大きさ又は形状の円筒系の本体４２８を含む。上部及び／又は底部は円筒形の本体４２８に取付けられ得る頭部（以下キャップ部という）４３０を含んでいてもよい。代替として、キャップ部４３０は円筒形の本体４２８に一体的に成形されてもよい。どちらの場合においても、当該キャップ部は回転ツールの収容エリア４３２を含む。回転ツールの収容エリア４３２は円筒形のドラム本体４２２を回転させるツール９４のようなツールを収容するように構成及び配置される。例えば、回転ツールの収容エリア４３２はツール９４の共役的な形状であるか、又は、回転ツールの収容エリア４３２は、当該ツールの挿入部がしっかり固定されるように、ツール９４の形状の補完的かつ幾何学的形状すなわちフィリップススクリューヘッドによる十字形状又は六角ボルトヘッド形状若しくは四角ボルトヘッド形状を有する。円筒形のドラム本体４２２の回転は前記したのと同様の態様にて行う。回転させる際は、回転部４２６はユーザに当該ドラムを時計回り／反時計回りに回転させる機能を与え、これによって取付けられたリーダライン（図示せず）を巻き出し又は巻き戻しすることができる。円形部材４１８と４２０の両方は回転部４２６を収容及び保持するような大きさ及び形状の開口部４３４を含む。さらに、円形部材４１８と４２０の各々は１つ以上のくぼんだ又はへこんだ（以下ディンプルという）領域４３６を含んでいてもよい。当該へこんだ領域を使用して所望の位置にスプール部を固定することによって格納及び／又は搬送を行ってもよい。代替として、当該ディンプルをばね荷重がかけられたピン又はボールと協働させて管理された抵抗力を付与することによって当該スプールからリーダを引き出してもよい。
【００４３】
再巻取り可能なリーダルアアセンブリ４００を組み立てるために、回転部４１６は、第１の円形部材４１８が支持アーム４０６に位置合わせ及び接触し、かつ第２の円形部材４２０が支持アーム４０８に位置合わせ及び接触するような、前記囲まれたエリア４１４内に設けられる。第１及び第２の円形部材の開口部４３４は、支持アーム４０６の開口部４４０と、支持アーム４０８の開口部４４２とにそれぞれ位置合わせされる。一旦適切な位置合わせがされると、回転部４２６は当該開口部に挿入されることができ、円筒形の本体４２２の開口内部４２４内に配置されることができる。図２８Ａに示されているように、キャップ部４３０は第1の円筒部分４１８の上部に置かれている。円筒形のドラム４２２はリーダライン（図示せず）を取付けるための開口部４４４（図２４参照）を含んでいてもよい。当該リーダラインは当該ドラムに巻かれ、側壁部４１２に設けられたスロット４４６を介して出る。側壁部４１０に取付けられているのはアイレットフック部４４８である。再巻取り可能なリーダルアアセンブリ４００は、本明細書に図示又は描写され及び記載されたチャンバ付き釣り用ルアのどの実施例にも挿入されることができる。例えば、図２９は、図１に示されたリリース自在なフック２２を有するチャンバ付き釣り用ルア１０の再巻取り可能なリーダルアアセンブリ用チャンバ内に設けられた、再巻取り可能なリーダルアアセンブリ４００を示している。
【００４４】
図３０及び図３１を参照すると、チャンバ付き釣り用ルア５００の代替的実施例が示されている。図３０においては、本発明のリリース自在なフック２２を有するチャンバ付き釣り用ルア５００の１の実施例の側面図が示されている。図３１はドラッグ又はクラッチアセンブリ＃＃を追加した同様の実施例を示しており、当該ドラッグ又はクラッチアセンブリは前記ルアから前記リーダをリリースする際のさらなる制御を可能にするように構成及び配置されている。チャンバ付き釣り用ルア５００は、前部５０４、後部５０６、上部５０８、底部５１０を有する本体５０２を含む。本体５０２は釣り用ルアの製造に一般に使用される材料から作られてもよいが、好ましくはプラスチックのようなポリマ材から作られる。本体５０２は、模様、色彩、又は形状を含んでいてもよく、当該形状は小魚、ネズミ、ザリガニ、蛙、若しくは魚が捕食する他の動物及び物体に似せたものであり得る。チャンバ付き釣り用ルア５００に取付けられているのはリリース自在なフック２２である。図示されているように、当該フックは、リーダラインが全く露出していないかほとんど露出していない「非展開」位置に配置されている。これは釣り人が前記ルアを着水させる際の典型的な開始位置である。
【００４５】
当該展開位置において、リーダ３４は伸ばされ、フック２２は本体５０２から所定の距離だけ離れて位置している。当該展開位置は、魚がルアに食付いてルアに接触する魚の食付きによって生じる。この状態において、魚は食べたくないものに食付いたことに気付き当該ルアを口から出すがフックは口に留まる。当該フックは好ましくは標準的な釣り針であり、アイレット２４、シャンク２６、湾曲部分２８、及びかえし３２付き又はかえし３２無しの針先部分３０を有している。フック２２は保護皮膜で被覆されてもよく、これにより、錆び、腐食、又は他の風化作用などの悪影響を及ぼす環境から保護することによって当該フックの耐用年数を延長できる。フックをチャンバ付き釣り用ルア５００の本体５０２につなぐのはリーダライン３４であるが、当該釣り糸はフロロカーボン製リーダラインやモノフィラメント製リーダラインに限定されず、編み組まれた金属若しくはポリマ材又はこれらの適切な組合せによるリーダラインであってもよい。
【００４６】
本体５０２の内部に設けられているのが再巻取り可能なリーダアセンブリ用チャンバ３６である。再巻取り可能なリーダアセンブリ用チャンバ３６は、中間部４２によって接続された第１の端部３８及び第２の端部４０を含み得る。第２のチャンバ４４は、ブレード又はスプーン（図示せず）などの重量物４６を保持するように構成及び配置されている。代替として、重量物４６は、水中を移動する際に前記ルアへ様々な振る舞い又は動作を与えるように前記本体内の適切な位置に成形されてもよい。再巻取り可能なリーダアセンブリ用チャンバ３６内に設けられているのが再巻取り可能なリーダアセンブリであり、本明細書にはスプールアセンブリ４８として示されている。典型的な場合、当該スプールアセンブリは、所定の長さのリーダライン３４をコイル状又は制御可能なリリースを行える構造で収容するように構成及び配置される。当該スプールアセンブリは、当該リーダラインが繰り返し展開動作するために前記ルアの空洞部内に再巻取り又は再配置されることを可能にする。
【００４７】
この実施例において、スプール８１は、第１の円形フランジ部材８０、第２の円形フランジ部材８２、及びドラム８４を含む。特定の好ましい実施例において、円形部材８０と８２の内の１つは十分に大きな直径を有するように形成されて前記本体の外側に形成された表面を介して少なくとも部分的に拡張し、これによってツール、キーなどを使用することなく手で当該円形部材を回転させることができる。第１の円形フランジ部材８０及び第２の円形フランジ部材８２に取付けられているのはピボットアセンブリであり、本明細書にはそれぞれスピンドル８６及び８８として示されている。スピンドル８６及び８８は、ドラム８４にその長手軸８９を中心にした回転運動をさせるような態様にて前記スプールアセンブリの一部として、結合又は一体成形される。開口部又はくぼみ部は、当該スピンドルと協働するために前記チャンバ内に設けられる。接続扉（以下アクセスドアという）５３０は、必要に応じて又は組立用に、前記スプールアセンブリに接続できるように設けられる。当該アクセスドアは、締結部材、接着部材、リビングヒンジ、又は格納時及び使用時において所定の位置に当該アクセスドアを保持する適切な手段によって、所定の位置に保持され得る。前記ピボットアセンブリは付属品として示されており、当該ピボットアセンブリは、軸を中心に回転運動するような他の要素・部材を含んでいてもよい。例えば、当該ピボットアセンブリは、前記第１及び第２円形部材の開口部内にベアリング又はブッシングと共に固定された心棒のような縦材であってもよい。代替として、当該第１及び第２円形部材は、当該縦材が支持される接続部に用いられるベアリング、ブッシング、マグネット等と共に当該縦材に固定されてもよい。前記ピボットアセンブリは、ギア、ラチェット及びパウルシステム、又は同様のものを使用するような、回転運動を発生させるさらなる機械的手段を含んでいてもよい。前記スピンドルは前記ドラムの端部から外側に伸びているように示されているが、開口部又は内側の穴部（以下インナーボアという）は当該ドラム内に設けられてもよく、当該スピンドルは本発明の範囲から離れることのないように当該ルアの本体に取付けられてもよい。本体５０２の後部５０６に設けられているのは開口部７２である。開口部７２は、本体５０２の空洞部内に挿入された際にフックがぴったり合うような大きさ及び形状であり、これにより、容易な又は制御されたリリースを可能にしつつフックが回転することを防いでいる。
【００４８】
図３１を参照すると、ドラッグ又はクラッチアセンブリ５３２を含む本発明の１の実施例が示されている。当該ドラッグ又はクラッチアセンブリは、典型的な場合、釣り人（すなわちオペレータ）が前記ルアから前記フック及び前記リーダを引く及び／又はリリースするスピードを制御できるように構成及び配置されている。好ましい実施例において、ドラッグアセンブリ５３２は少なくとも１つのクラッチディスクと共に設けられ、当該クラッチディスクは前記スプールアセンブリとプレッシャプレート５３６との間に設けられる。蝶ねじ５３８及び任意のばね５４０が当該スプールアセンブリへ圧力及び抵抗（すなわち摩擦）を発生させるために使用されてもよく、これにより、前記リーダ及び前記フックが前記ルアから伸長可能な範囲において必要な圧力及び／又はスピードを制御できるようになる。前記クラッチ及び前記プレッシャプレートは平らなディスク形状の部材として示されているが、本発明の範囲から離れなければ他の形状が使用されてもよい。また、コイルばねが示されているが、本発明の範囲から離れなければベルビルワッシャなどのような他のタイプのばね部材が使用されてもよい。
【００４９】
本明細書に記載されている全ての特許及び刊行物（すなわち公開公報）は本発明の属する技術分野における当業者の水準・レベルを示している。全ての特許及び刊行物は参照することにより本明細書に組み込まれているものとする。
【００５０】
本発明の特定の形態が示されているが、本発明は、本明細書に記載及び図示されている特定の形態又は構成に限定されるべきはない。本発明の範囲から離れることなく様々な変更・変形がなされることは当業者には明らかであり、本発明は、本明細書及び本明細書に含まれる図面に図示及び記載されているものに限定されると考慮されるべきではない。
【００５１】
当業者であれば、本発明が前記目的を達成し、且つ上記した結果及び効果並びに内在する結果及び効果を得ることができることは容易に理解できるであろう。本明細書に記載された実施例、手法・方法、手順、及び手段・技術は、出願時点での好ましい実施例であり、例示的なものであり、本発明の範囲を限定するものではない。当業者が想到し得るであろう変更物・変形物及び他の用途は、本発明の精神・範囲に含まれ、かつ特許請求の範囲に包含される。本発明は、特定の好ましい実施例に関連して記載されているが、特許請求の範囲に記載されている本発明はこのような特定の実施例に不当に限定されるべきではない。当業者に自明である本発明を実施するための形態の様々な変更・変形は、特許請求の範囲内のものである。
【図１】
2012147773.tif 000003
【図２】
2012147773.tif 000004
【図３】
2012147773.tif 000005
【図４】
2012147773.tif 000006
【図５】
2012147773.tif 000007
【図６Ａ】
2012147773.tif 000008
【図６Ｂ】
2012147773.tif 000009
【図７】
2012147773.tif 000010
【図８】
2012147773.tif 000011
【図９】
2012147773.tif 000012
【図１０】
2012147773.tif 000013
【図１１】
2012147773.tif 000014
【図１２】
2012147773.tif 000015
【図１３Ａ】
2012147773.tif 000016
【図１３Ｂ】
2012147773.tif 000017
【図１４】
2012147773.tif 000018
【図１５】
2012147773.tif 000019
【図１６】
2012147773.tif 000020
【図１７】
2012147773.tif 000021
【図１８】
2012147773.tif 000022
【図１９】
2012147773.tif 000023
【図２０Ａ】
2012147773.tif 000024
【図２０Ｂ】
2012147773.tif 000025
【図２１Ａ】
2012147773.tif 000026
【図２１Ｂ】
2012147773.tif 000027
【図２１Ｃ】
2012147773.tif 000028
【図２２Ａ】
2012147773.tif 000029
【図２２Ｂ】
2012147773.tif 000030
【図２３】
2012147773.tif 000031
【図２４】
2012147773.tif 000032
【図２５】
2012147773.tif 000033
【図２６】
2012147773.tif 000034
【図２７】
2012147773.tif 000035
【図２８Ａ】
2012147773.tif 000036
【図２８Ｂ】
2012147773.tif 000037
【図２８Ｃ】
2012147773.tif 000038
【図２９】
2012147773.tif 000039
【図３０】
2012147773.tif 000040
【図３１】
2012147773.tif 000041
【手続補正書】
【提出日】平成24年3月2日(2012.3.2)
【手続補正１】
【補正対象書類名】図面
【補正対象項目名】全図
【補正方法】変更
【補正の内容】
【図１】
2012147773.tif 000042
【図２】
2012147773.tif 000043
【図３】
2012147773.tif 000044
【図４】
2012147773.tif 000045
【図５】
2012147773.tif 000046
【図６Ａ】
2012147773.tif 000047
【図６Ｂ】
2012147773.tif 000048
【図７】
2012147773.tif 000049
【図８】
2012147773.tif 000050
【図９】
2012147773.tif 000051
【図１０】
2012147773.tif 000052
【図１１】
2012147773.tif 000053
【図１２】
2012147773.tif 000054
【図１３Ａ】
2012147773.tif 000055
【図１３Ｂ】
2012147773.tif 000056
【図１４】
2012147773.tif 000057
【図１５】
2012147773.tif 000058
【図１６】
2012147773.tif 000059
【図１７】
2012147773.tif 000060
【図１８】
2012147773.tif 000061
【図１９】
2012147773.tif 000062
【図２０Ａ】
2012147773.tif 000063
【図２０Ｂ】
2012147773.tif 000064
【図２１Ａ】
2012147773.tif 000065
【図２１Ｂ】
2012147773.tif 000066
【図２１Ｃ】
2012147773.tif 000067
【図２２Ａ】
2012147773.tif 000068
【図２２Ｂ】
2012147773.tif 000069
【図２３】
2012147773.tif 000070
【図２４】
2012147773.tif 000071
【図２５】
2012147773.tif 000072
【図２６】
2012147773.tif 000073
【図２７】
2012147773.tif 000074
【図２８Ａ】
2012147773.tif 000075
【図２８Ｂ】
2012147773.tif 000076
【図２８Ｃ】
2012147773.tif 000077
【図２９】
2012147773.tif 000078
【図３０】
2012147773.tif 000079
【図３１】
2012147773.tif 000080
【外国語明細書】
2012147773000001.pdf